(57)【要約】【課題】主に、健康的な暮らしなどができるようにする。【解決手段】異なる温度で測定された複数の血圧測定値２ａ，２ｂに基づいて、温度による血圧の変化を示す血圧変化曲線３を求める血圧推定部４と、  血圧推定部４で求めた血圧変化曲線３に従って血圧が低くなる温度５を提示する提示部６と、  提示部６によって提示された温度５に基づいて空調機器７の温度設定８を行う空調条件設定部９と、を備えた空調制御システム１に関する。  血圧推定部４は、空調条件設定部９で提示された温度５になった時の血圧測定値２ａ，２ｂを用いて血圧変化曲線３を補正するデータ補正部２１を備えても良い。【選択図】図１
2020051675.tif 000002
【特許請求の範囲】
【請求項１】
異なる温度で測定された複数の血圧測定値に基づいて、温度による血圧の変化を示す血圧変化曲線を求める血圧推定部と、
該血圧推定部で求めた血圧変化曲線に従って血圧が低くなる温度を提示する提示部と、
提示部によって提示された温度に基づいて空調機器の温度設定を行う空調条件設定部と、を備えたことを特徴とする空調制御システム。
【請求項２】
請求項１に記載の空調制御システムにおいて、
前記血圧推定部は、前記空調条件設定部で提示された温度になった時の血圧測定値を用いて血圧変化曲線を補正するデータ補正部を備えたことを特徴とする空調制御システム。
【請求項３】
請求項１または請求項２に記載の空調制御システムにおいて、
目標温度にするための光熱費を算出する光熱費算出部を備え、
前記提示部は、温度を提示する際に、当該温度を目標温度として前記光熱費算出部が算出した光熱費を同時に提示することを特徴とする空調制御システム。
【請求項４】
請求項１ないし請求項３のいずれか１項に記載の空調制御システムにおいて、
前記提示部の提示が複数ある場合に、複数の提示を選択可能な選択部を備えたことを特徴とする空調制御システム。
【発明の詳細な説明】
【技術分野】
【０００１】
この発明は、空調制御システムに関するものである。
【背景技術】
【０００２】
住宅などには、室内の温度を調整するために空調装置が設けられる（例えば、特許文献１参照）。
【先行技術文献】
【特許文献】
【０００３】
【特許文献１】特開２０００−１６１７１１号公報
【発明の概要】
【発明が解決しようとする課題】
【０００４】
一般に、空調装置は、温度や湿度などの環境を整えるだけのものとなっている。
【０００５】
一方で、人間の血圧は、温度と関連することが知られている。そのため、「住人は健康に良い（血圧が低くなる）温度で暮らすこと（空調温度に設定すること）を望んでいる」との考えに基づいて空調装置を使用することが、空調装置の理想的な運用の仕方である。しかし、住人が血圧と温度との関連性を正確に把握するのは難しく、その関連性を考慮して空調温度の温度設定を行うことは困難である。
【０００６】
そこで、本発明は、主に、上記した問題点を解決することを目的としている。
【課題を解決するための手段】
【０００７】
上記課題を解決するために、本発明は、
異なる温度で測定された複数の血圧測定値に基づいて、温度による血圧の変化を示す血圧変化曲線を求める血圧推定部と、
該血圧推定部で求めた血圧変化曲線に従って血圧が低くなる温度を提示する提示部と、
提示部によって提示された温度に基づいて空調機器の温度設定を行う空調条件設定部と、を備えた空調制御システムを特徴とする。
【発明の効果】
【０００８】
本発明によれば、上記構成によって、健康的な暮らしなどができるようになる。
【図面の簡単な説明】
【０００９】
【図１】本実施の形態にかかる空調制御システムの構成図である。
【図２】年齢別の温度（居間室温）と血圧との関連を示すグラフである。
【発明を実施するための形態】
【００１０】
以下、本実施の形態を、図面を用いて詳細に説明する。
図１、図２は、この実施の形態を説明するためのものである。
【実施例１】
【００１１】
＜構成＞以下、構成について説明する。
【００１２】
（１）図１、図２に示すように、空調制御システム１は、異なる温度で測定された複数の血圧測定値２ａ，２ｂに基づいて、温度による血圧の変化を示す血圧変化曲線３を求める血圧推定部４と、
血圧推定部４で求めた血圧変化曲線３に従って血圧が低くなる温度５を提示する提示部６と、を備えても良い。
更に、提示部６によって提示された温度５に基づいて空調機器７の温度設定８を行う空調条件設定部９を備えるようにしても良い。
【００１３】
ここで、空調制御システム１は、コンピュータなどの演算制御装置、および、この演算制御装置にインストールされたプログラムなどによって構成することができる。空調制御システム１は、空調機器７の機能の一部として空調機器７に一体に設けても良いし、空調機器７とは別体に設けても良い。また、空調制御システム１は、１台の空調機器７の温度設定８を行うものとしても良いし、複数台の空調機器７の温度設定８を（個別にまたは同時に）行うことができるものとしても良い。
【００１４】
空調制御システム１を空調機器７と別体に設ける場合には、専用端末（例えば、リモコンなど）として設けても良いが、例えば、アプリなどをスマートフォンやタブレットなどのような（携帯型の）小型多機能端末などにインストールすることで、手持ちの小型多機能端末を空調制御システム１として使用できるように構成しても良い。
【００１５】
この際、小型多機能端末は、空調機器７とネットでつなぐことで、空調機器７の温度設定８を行う空調条件設定部９の機能を実行できるようになる。なお、小型多機能端末がネットで空調機器７とつながれていない場合には、空調条件設定部９の機能は実行できないが、血圧変化曲線３を求めて、血圧が低くなる温度５を提示することまでは可能である。よって、この場合には、提示された温度５となるように空調機器７の設定を直接操作すれば良い。
【００１６】
空調制御システム１は、血圧測定値２ａ，２ｂなどを入力するための入力部１１を有する。入力部１１は、直接手動操作するための入力手段や、通信などによって血圧測定値２ａ，２ｂを入力するための通信手段などとすることができる。また、空調制御システム１は、内部に、血圧推定部４や提示部６や空調条件設定部９などで使用するための記憶装置１２を備えることができる。
【００１７】
「異なる温度」とは、血圧を測定する時の室温が異なっていることである。血圧が温度によって変化することは知られている。血圧は、血圧計や血圧センサーなどで測定することができる。血圧センサーは、例えば、ウェアラブル端末などに取付けたものを使用することができる。
【００１８】
血圧測定は、同一人に対して温度を変えて少なくとも２回は行うようにする。例えば、朝の暖房をつける前の時（１７℃）と、暖房によって温まった後（２１℃）の２回、血圧測定を行うようにする。血圧推定部４は、最低２回の血圧測定で、血圧変化曲線３を求めることが可能である。普段から血圧を意識している人の場合には、日々計測している血圧のデータがあるので、この日々のデータを利用することで、より精度の高い血圧変化曲線３をより簡単に求めることが可能である。
【００１９】
なお、血圧は、朝や夜などの時間帯によって変化するのが一般的である。特に、血圧が高く疾病リスクにつながり易いのは朝の時間帯なので、朝の時間帯の血圧測定を採用するとより効果的である。但し、血圧測定の時間帯は上記に限るものではない。
【００２０】
血圧測定値２ａ，２ｂは、入力部１１の入力手段を使って血圧推定部４に直接入力することが一般的であると考えられるが、血圧計や血圧センサーからのデータについては、通信手段によって自動的に血圧推定部４へ送信して入力するのが好ましい。
【００２１】
血圧推定部４は、例えば、年齢別の室温と血圧との関連を示すグラフ１５（図２、スマートウェルネス住宅等推進調査委員会  研究企画委員会  調査解析小委員会によって作成のものなど）を使うことによって、血圧変化曲線３を求めることができる。このグラフ１５は、記憶装置１２に予め記憶しておく。そして、このグラフ１５に、異なる温度で測定された複数の血圧測定値２ａ，２ｂを当て嵌めることで、血圧変化曲線３が得られ、得られた血圧変化曲線３を使うことで、その人の血圧が室温でどうなるかを推定することができる。
【００２２】
例えば、図２の場合、１７℃のときの血圧測定値２ａと２１℃のときの血圧測定値２ｂとを上記グラフ１５に当て嵌めることで、血圧の値や変化幅などによって、どの年齢の曲線に一番近いかが分かる。この実施例では、６０歳の高齢者の曲線に一番近いので、６０歳の高齢者の曲線を血圧変化曲線３として同定する。ここで同定された血圧変化曲線３は、血圧変化の推定値を得るために使われる。なお、血圧推定部４による血圧変化曲線３の求め方は、上記に限るものではなく、例えば、部分的な近似を見るなどによって血圧変化曲線３を同定しても良い。また、この実施例では、６０歳の高齢者の曲線を血圧変化曲線３としたが、血圧変化曲線３はこれに限らずその他の年齢の曲線（例えば、８０歳、７０歳、５０〜３０歳など）とすることができる。
【００２３】
そして、提示部６は、血圧推定部４が同定した血圧変化曲線３に従って血圧を下げるために有効な温度５を求める。または、血圧推定部４は、同定した血圧変化曲線３から血圧を下げるために有効な温度５を読み取って提示部６へ送る。即ち、血圧を下げるために有効な温度５を求めるのは、提示部６としても血圧推定部４としても良いが、提示部６は、少なくとも、血圧を下げるために有効な温度５を提示する。なお、血圧推定部４や提示部６には、ＡＩ（人工知能）を用いることができる。
【００２４】
提示部６が提示する温度５は、血圧が低くなる最適な室温のことである。提示部６は、提示する温度５を表示するために、温度提示部６ａを有しても良い。温度提示部６ａは、液晶パネルや有機ＥＬパネルなどの表示画面とすることができる。温度提示部６ａには、例えば、「血圧を低く保つための最適な室温は、〇〇℃です」などの提示が表示される。
【００２５】
この際、表示画面をタッチパネルにして、上記した血圧測定値２ａ，２ｂなどの入力手段（入力部１１）として使用できるようにしても良い。または、入力手段として表示画面の周囲に入力ボタンを設けても良い。提示部６は、温度提示部６ａとして音声によって温度５を提示するスピーカーを有しても良い。表示画面とスピーカーは、単独で設けても良いし、組み合わせて設けても良い。
【００２６】
空調機器７は、温度設定８に基づいた運転制御を行うことができれば、空調装置（いわゆるエアコン）としても良いし、暖房器具やその他の温度調整機器などとしても良いし、これらを適宜組み合わせても良い。
【００２７】
空調条件設定部９は、提示部６に提示された温度５となるように空調機器７に対して温度設定８を行う。空調条件設定部９は、更に、空調機器７を制御して、上記温度設定８で運転させるようにしても良い。なお、上記したように、空調制御システム１にとって空調条件設定部９は、必ずしも必要ではないが、空調条件を手作業で設定する手間をなくすと共に、空調条件を正しく設定するためには、設けるのが好ましい。
【００２８】
なお、上記の説明では、空調制御システム１は、一人を対象として血圧変化曲線３を求めて、血圧が低くなる温度５を提示できるようにしている。そして、空調機器７の温度設定８を行うようにしている。これに対し、空調制御システム１は、複数の対象者に対応できるようにしても良い。例えば、対象者が複数の場合に、対象者ごとに血圧変化曲線３を求め、対象者ごとに血圧が低くなる温度５を提示できるようにする。そして、空調機器７の温度設定８については、対象者選択手段を設けて、いずれかの対象者を選択して行わせるようにしても良いし、または、複数の対象者全員にとって最も良い温度５を提示したり、温度設定８を行わせたりできるようにしても良い。
【００２９】
（２）血圧推定部４は、空調条件設定部９で提示された温度５になった時の血圧測定値２ｃを用いて血圧変化曲線３を補正するデータ補正部２１を備えても良い。
【００３０】
ここで、データ補正部２１は、血圧推定部４によって血圧変化曲線３が同定された後に、血圧測定値２ｃが血圧変化曲線３と合致するかどうかを確認し、補正または修正するためのものである。そして、血圧測定値２ｃと血圧変化曲線３とに差異がある場合に、別の血圧変化曲線を選択したり、血圧測定値２ｃに合うような新たな血圧変化曲線３ａを作成したりする。新たな血圧変化曲線３ａは、例えば、図２のグラフ１５に近似させて破線で示すように作成する。この実施例では、６０歳の高齢者の曲線を血圧変化曲線３としていたのを、５７歳相当の曲線を血圧変化曲線３ａに修正している。５７歳相当の曲線は、図２のグラフ１５に含まれていればそれを使用しても良いし、含まれていなければ血圧推定部４やデータ補正部２１が作成するようにしても良い。
【００３１】
また、提示部６は、空調条件設定部９で提示された温度５になった時に、血圧を測定して血圧測定値２ｃの入力を促す機能を備えても良い。そのために、提示部６は、温度提示部６ａに「血圧を測定して入力してください」などと表示したり、注意音を発生させたりすることができる。
【００３２】
（３）目標温度にするための光熱費２５を算出する光熱費算出部２６を備えても良い。
提示部６は、温度５を提示する際に、この温度５を目標温度にして光熱費算出部２６が算出した光熱費２５を同時に提示するようにしても良い。
【００３３】
ここで、光熱費算出部２６は、現在の室温（または設定温度）と目標温度との差に基づいて、必要エネルギーを算出し、光熱費２５に換算するものである。
光熱費算出部２６は、空調制御システム１に備えられるのが好ましい。光熱費算出部２６は、外気温や室温や、建物の断熱性や、建物（または室）の大きさや、空調機器７の運転時間（スケジュール）や、人の在・不在などによって暖房負荷を算出し、更に、空調機器７の効率を勘案することなどによって、光熱費２５を算出する。但し、光熱費２５を算出の仕方はこれに限るものではない。光熱費算出部２６で使用するデータの全部または一部は、予め記憶装置１２に記憶しておくことができる。また、光熱費算出部２６は、提示部６（または血圧推定部４としても良い）から提示する温度５を取得して目標温度とすることができる。
【００３４】
光熱費２５は、上記した表示画面による表示やスピーカーによる音声などで提示することができる。表示画面による表示の場合、光熱費２５の提示の仕方は、どのようなものであっても良く、例えば、具体的な数値による提示（数値表示）でも、「Ａ」「Ｂ」「Ｃ」などの段階的評価による提示でも、色分けや記号または図形などによる提示でも、その他の提示でも、これらの適宜組み合わせた提示でも良い。
【００３５】
提示部６は、提示する光熱費２５を表示するために、光熱費提示部６ｂを有しても良い。光熱費提示部６ｂは、液晶パネルや有機ＥＬパネルなどの表示画面とすることができる。光熱費提示部６ｂは、温度提示部６ａと同じ表示画面を使っても良いし、別の表示画面を使っても良い。光熱費提示部６ｂには、例えば、「室温を〇〇℃としたときの光熱費は△△です」などの提示が表示される。また、光熱費提示部６ｂは、音声などでの提示が可能なスピーカーを有しても良い。表示画面とスピーカーは、単独で設けても良いし、組み合わせて設けても良い。
【００３６】
（４）提示部６の提示が複数ある場合に、複数の提示を選択可能な選択部３１を備えても良い。
【００３７】
ここで、複数の提示とは、温度５、または、温度５と光熱費２５との組み合わせの提示が複数あること、または、上記提示が範囲を有していることである。選択部３１は、提示された複数の（または範囲を有する）温度５、または、温度５と光熱費２５との組み合わせから一つを選択して特定できるようにするためのものである。
【００３８】
選択部３１は、上記した入力部１１における、表示画面（例えば、タッチパネル）や入力ボタン、または、これらとは別に設けられた同様の直接的な入力手段などを使用することができる。また、選択部３１は、音声入力部などとすることができる。音声入力部は、表示画面の周囲などに設けたマイクと、マイクに入力された音声を認識する音声認識プログラム（例えば、ＡＩなど）などで構成することができる。空調条件設定部９は、選択部３１による選択に基づいて空調機器７の空調条件を設定する。また、設定した空調条件で空調機器７を運転させるようにしても良い。
【００３９】
なお、選択部３１には、上記した対象者が複数の場合の選択機能などを持たせても良い。
【００４０】
＜作用効果＞この実施例によれば、以下のような作用効果を得ることができる。
【００４１】
（作用効果１）空調制御システム１は、血圧推定部４と、提示部６とを備えても良い。血圧推定部４は、異なる温度で測定された複数の血圧測定値２ａ，２ｂに基づいて、温度による血圧の変化を示す血圧変化曲線３を求める。血圧推定部４または提示部６は、血圧推定部４で求めた血圧変化曲線３を使って血圧が低くなる温度５を求める。提示部６は、求めた温度５を提示する。
【００４２】
これにより、血圧と温度との関連性を正確に把握していなくても、住人は健康に良い（血圧が低くなる）温度５を簡単に把握できるようになる。
【００４３】
空調制御システム１は、空調条件設定部９を備えても良い。空調条件設定部９は、提示部６によって提示された温度５に基づいて空調機器７の温度設定８を行う。
【００４４】
これにより、住人は健康に良い（血圧が低くなる）空調温度に設定することが可能になる。また、健康に良い空調温度で空調機器７を運転することができるようになる。よって、住人は健康的な暮らしができるようになる。
【００４５】
（作用効果２）空調制御システム１は、血圧推定部４にデータ補正部２１を備えても良い。これにより、データ補正部２１は、空調条件設定部９で提示された温度５になった時の血圧測定値２ｃを用いて血圧変化曲線３を補正することができる。そのため、より精度の高い血圧変化曲線３ａに修正することができる。また、血圧変化曲線３を補正する機能を有することで、住人の血圧の状態が変化した場合でも、容易に変化に対応することができる。
【００４６】
なお、血圧測定を重ねて補正を繰り返して行くことで、最終的に季節ごとの温度変化に応じた、その人の温度変化に対する血圧変化曲線３などが作成できるので、それを使用することで、更に温度提示の精度を高めることができる。
【００４７】
（作用効果３）空調制御システム１は、光熱費算出部２６を備えても良い。これにより、光熱費算出部２６によって、目標温度にするための光熱費２５を算出することができる。
【００４８】
そして、提示部６は、温度５を提示する際に、この温度５を目標温度にして光熱費算出部２６が算出した光熱費２５を同時に提示するようにしても良い。これにより、血圧を低くする温度５にした時の光熱費２５を知ることができる。よって、住人は健康的で経済的な暮らしができるようになる。
【００４９】
（作用効果４）空調制御システム１は、選択部３１を備えても良い。これにより、提示部６によって複数の提示が行われた場合に、選択部３１によって、複数の提示のいずれかを選択することができる。そのため、血圧を低くすると共に、光熱費２５を抑制する温度５を自分で判断して空調設定を行う（空調条件を決める）ことができる。
【符号の説明】
【００５０】
１    空調制御システム
２ａ  血圧測定値
２ｂ  血圧測定値
２ｃ  血圧測定値
３    血圧変化曲線
４    血圧推定部
５    温度
６    提示部
７    空調機器
９    空調条件設定部
２１  データ補正部
２５  光熱費
２６  光熱費算出部
３１  選択部
【図１】
2020051675.tif 000003
【図２】
2020051675.tif 000004